(57)【要約】  無線通信システム（１）は、第１セルの制御チャネルと第２セルのデータチャネルとが時間的に重なるように、各セルにおける送信タイミングを制御する。無線通信システム（１）は、第１セルの基地局（１００）を有する。第１セルの基地局（１００）は、第１制御部（１００ａ）と第１通信部（１００ｂ）とを有する。第１制御部（１００ａ）は、所定のリソース単位に対応する、第１セルの制御チャネルのリソースの特定に用いられる情報を、第２セルの基地局に通知する。第１通信部（１００ｂ）は、所定のリソース単位の少なくとも一部に対応し、かつ、第１セルの移動局の復号対象である、第１セルの制御チャネルの第１リソースを用いて、第１セルの移動局に制御信号を送信する。
2012104970.tif 000002
【特許請求の範囲】
【請求項１】
第１セルの制御チャネルと第２セルのデータチャネルとが時間的に重なるように、各セルにおける送信タイミングを制御する無線通信システムであって、
前記第１セルの基地局は、
所定のリソース単位に対応する、前記第１セルの制御チャネルのリソースの特定に用いられる情報を、前記第２セルの基地局に通知する第１制御部と、
前記所定のリソース単位の少なくとも一部に対応し、かつ、前記第１セルの移動局の復号対象である、前記第１セルの制御チャネルの第１リソースを用いて、前記第１セルの移動局に制御信号を送信する第１通信部とを有し、
前記第２セルの基地局は、
前記所定のリソース単位に対応する、前記第２セルのデータチャネルの第２リソースを用いて、ヌルシンボルを送信する第２通信部を有し、
前記第１セルの移動局は、
前記第１セルの基地局から送信された前記制御信号を、前記第１リソースにより受信すると共に、前記第２セルの基地局から送信された前記ヌルシンボルを、前記第２リソースにより受信する第３通信部を有することを特徴とする無線通信システム。
【請求項２】
前記所定のリソース単位は、一以上のＣＣＥ（Control  Channel  Element）であり、
前記第１リソースは、前記第１セルの移動局固有のサーチスペースであることを特徴とする請求項１に記載の無線通信システム。
【請求項３】
前記第２セルの基地局は、
複数の第１セルそれぞれについて、前記第１セルの無線パラメータに基づいて、前記第１セルの所定のリソース単位がマッピングされるリソースを算出する第２制御部を更に有し、
前記第２セルの基地局の第２通信部は、前記第２制御部により算出された全てのリソースにおいて、同一のサブフレームによりヌルシンボルを送信することを特徴とする請求項１に記載の無線通信システム。
【請求項４】
前記無線通信システムは、前記第１セルの基地局を複数有し、
前記第１セルの基地局の第１制御部は、
前記所定のリソース単位がマッピングされるリソースの特定に必要な情報と被干渉移動局数情報とを、前記第２セルの基地局に通知し、
前記第１セルの基地局の第１通信部は、
前記第２セルの基地局から通知された干渉低減サブフレーム情報の示す、前記第１セル用の干渉低減サブフレームにおいて、前記第１セルに接続する移動局の移動局固有復号対象リソースが前記所定のリソース単位と重なる場合、重なる領域内の所定のリソース単位を用いて、前記移動局用の制御チャネルによる送信を行い、
前記第２セルの基地局は、
複数の第１セルの基地局から通知された被干渉移動局数情報に基づいて、各第１セル用の干渉低減サブフレームを設定すると共に、前記干渉低減サブフレーム情報を各第１セルの基地局に通知する第２制御部を更に有し、
前記第２セルの基地局の第２通信部は、
前記各第１セル用の干渉低減サブフレームにおいて前記第１セルの所定のリソース単位がマッピングされるリソースにおいて、ヌルシンボルを送信することを特徴とする請求項１に記載の無線通信システム。
【請求項５】
前記第１セルの基地局の第１制御部は、
前記被干渉移動局数情報として、無線チャネル状態が所定品質以下の移動局数に基づく情報を前記第２セルの基地局に通知することを特徴とする請求項４に記載の無線通信システム。
【請求項６】
前記第２セルの基地局の第２制御部は、
前記被干渉移動局数情報が示す値に関する各第１セル間の比率に基づいて、前記干渉低減サブフレームの個数に関する各第１セル間の比率を設定することを特徴とする請求項４に記載の無線通信システム。
【請求項７】
前記第２セルの基地局の第２制御部は、
前記各第１セル用の干渉低減サブフレームを互いに重複しないように設定することを特徴とする請求項４に記載の無線通信システム。
【請求項８】
前記第１セルの基地局の第１制御部は、
前記所定のリソース単位がマッピングされるリソースの特定に必要な情報として、前記第１セルの無線パラメータを、前記第２セルの基地局に通知し、
前記第２セルの基地局の第２制御部は、
前記第１セルの基地局から通知された無線パラメータの情報に基づいて、前記第１セルの所定のリソース単位がマッピングされるリソースを特定することを特徴とする請求項４に記載の無線通信システム。
【請求項９】
前記第１セルの基地局の第１制御部は、
前記第１セルに接続する移動局用の制御チャネルに適用するアグリゲーションレベルを、前記移動局の無線チャネル状態に基づいて暫定的に選択し、
前記第１セルの基地局の第１通信部は、
前記移動局の暫定的なアグリゲーションレベルに対する移動局固有復号対象リソースが前記所定のリソース単位と重ならない場合に、前記移動局固有復号対象リソースが前記所定のリソース単位と重なる、暫定値以上のアグリゲーションレベルを選択して送信する、または、前記移動局固有復号対象リソースが前記所定のリソース単位と重なる、前記暫定値未満のアグリゲーションレベルを選択し送信電力を所定値以上にして送信することを特徴とする請求項４に記載の無線通信システム。
【請求項１０】
前記第１セルの基地局の第１制御部は、
被干渉移動局数を、前記第２セルの基地局に通知すると共に、前記第２セルの基地局から通知された干渉低減リソース単位情報に従って、所定のリソース単位を設定し、
前記第２セルの基地局の第２制御部は、
前記第１セルの基地局から通知された被干渉移動局数に基づいて、所定のリソース単位数を調整すると共に、所定のリソース単位数に基づく干渉低減リソース単位情報を、前記第１セルの基地局に通知することを特徴とする請求項１に記載の無線通信システム。
【請求項１１】
前記第２セルの基地局の第２制御部は、
前記被干渉移動局数が所定値以上の場合には、前記所定のリソース単位数を増加させると共に、前記被干渉移動局数が前記所定値未満の場合には、前記所定のリソース単位数を減少させることを特徴とする請求項１０に記載の無線通信システム。
【請求項１２】
前記第２セルの基地局の第２通信部は、
複数の第１セルの基地局のうち、前記ヌルシンボルの送信を要求した第１セルの基地局からの当該要求を契機として、前記第１セルの基地局の移動局に前記ヌルシンボルを送信することを特徴とする請求項４に記載の無線通信システム。
【請求項１３】
第１セルの制御チャネルと第２セルのデータチャネルとが時間的に重なるように、各セルにおける送信タイミングを制御する無線通信システムにおける前記第１セルの基地局であって、
所定のリソース単位に対応する、前記第１セルの制御チャネルのリソースの特定に用いられる情報を、前記第２セルの基地局に通知する制御部と、
前記所定のリソース単位の少なくとも一部に対応し、かつ、前記第１セルの移動局の復号対象である、前記第１セルの制御チャネルの第１リソースを用いて、前記第１セルの移動局に制御信号を送信する通信部と
を有することを特徴とする基地局。
【請求項１４】
第１セルの制御チャネルと第２セルのデータチャネルとが時間的に重なるように、各セルにおける送信タイミングを制御する無線通信システムにおける前記第２セルの基地局であって、
前記第１セルの基地局から通知される、所定のリソース単位に対応する、前記第１セルの制御チャネルのリソースの特定に用いられる情報を受信する制御部と、
受信された前記情報に基づき、前記所定のリソース単位に対応する、前記第２セルのデータチャネルの第２リソースを用いて、ヌルシンボルを送信する通信部と
を有することを特徴とする基地局。
【請求項１５】
第１セルの制御チャネルと第２セルのデータチャネルとが時間的に重なるように、各セルにおける送信タイミングを制御する無線通信システムで通信する移動局であって、
所定のリソース単位の少なくとも一部に対応し、かつ、前記第１セルの移動局の復号対象である、前記第１セルの制御チャネルの第１リソースを用いて、前記第１セルの基地局から送信された制御信号を受信すると共に、前記所定のリソース単位に対応する、前記第２セルのデータチャネルの第２リソースを用いて、前記第２セルの基地局から送信されたヌルシンボルを受信する通信部を有することを特徴とする移動局。
【請求項１６】
第１セルの制御チャネルと第２セルのデータチャネルとが時間的に重なるように、各セルにおける送信タイミングを制御する無線通信システムにおける無線通信方法であって、
前記第１セルの基地局は、所定のリソース単位に対応する、前記第１セルの制御チャネルのリソースの特定に用いられる情報を、前記第２セルの基地局に通知し、
前記第１セルの基地局は、前記所定のリソース単位の少なくとも一部に対応し、かつ、前記第１セルの移動局の復号対象である、前記第１セルの制御チャネルの第１リソースを用いて、前記第１セルの移動局に制御信号を送信し、
前記第２セルの基地局は、前記所定のリソース単位に対応する、前記第２セルのデータチャネルの第２リソースを用いて、ヌルシンボルを送信し、
前記第１セルの移動局は、前記第１セルの基地局から送信された前記制御信号を、前記第１リソースにより受信すると共に、前記第２セルの基地局から送信された前記ヌルシンボルを、前記第２リソースにより受信する
ことを特徴とする無線通信方法。
【発明の詳細な説明】
【技術分野】
【０００１】
本発明は、無線通信システム、基地局、移動局、及び無線通信方法に関する。
【背景技術】
【０００２】
従来、次世代移動通信システムであるＬＴＥ（Long  Term  Evolution）やＬＴＥ-Advancedにおいては、システム容量やカバレッジの拡大を目的として、ヘテロジーニアスネットワークの検討が行われている。ヘテロジーニアスネットワークとは、マクロセルと低送信電力の基地局が構成するセル（以下、「ピコセル」と記す。）とが共存配置されたネットワークである。このようなネットワークにおいて、マクロセルとピコセルとが同一周波数で運用される場合、マクロセルからピコセルへの干渉が問題となる。すなわち、ピコセルの基地局（以下、「ピコ基地局」と記す。）に接続している移動局では、ピコ基地局からの信号が、マクロセルの基地局（以下、「マクロ基地局」と記す。）からの信号により干渉を受ける。【０００３】
上述のセル間干渉は、各物理チャネル（制御チャネル、データチャネル）における通信品質に影響を与える。特に、サブフレームの送信タイミングがセル間で同期しているシステムでは、セル間干渉は、制御チャネル同士及びデータチャネル同士で発生し得る。このようなセル間干渉を低減する技術として、ピコ基地局におけるサブフレームの送信タイミングを、マクロ基地局におけるサブフレームの送信タイミングに対して、ＯＦＤＭ（Orthogonal  Frequency  Division  Multiplexing）シンボル単位でシフトさせる技術がある。かかる技術では、シフトされた結果としてピコ基地局の制御チャネルと時間的に重なる、マクロ基地局のデータチャネルが、送信電力０のヌルシンボルで上書き（ミューティング）される。
【先行技術文献】
【非特許文献】
【０００４】
【非特許文献１】3GPP  TR36.814  V9.0.0(2010-03)
【非特許文献２】3GPP  TS36.211  V8.9.0(2009-12)
【非特許文献３】3GPP  TS36.213  V8.8.0(2009-09)
【非特許文献４】3GPP  R1-103227
【発明の概要】
【発明が解決しようとする課題】
【０００５】
しかしながら、上述した技術では、マクロ基地局のデータチャネルからピコ基地局の制御チャネルに対する干渉は低減されるものの、マクロ基地局のデータチャネルの受信特性が劣化するという問題がある。すなわち、マクロ基地局のデータチャネルのリソースにおいて、干渉低減のためにミューティングされたリソースには、ヌルシンボルが設定されているため、その分マクロ基地局が単位時間当りに送信可能なデータ容量は減少することになる。この送信データ容量の減少が、データチャネルにおける受信特性の劣化の一因となっていた。【０００６】
開示の技術は、上記に鑑みてなされたものであって、データチャネルの受信特性を維持しつつ、制御チャネルへの干渉を低減することができる無線通信システム、基地局、移動局、及び無線通信方法を提供することを目的とする。
【課題を解決するための手段】
【０００７】
上述した課題を解決し、目的を達成するために、本願の開示する無線通信システムは、一つの態様において、第１セルの制御チャネルと第２セルのデータチャネルとが時間的に重なるように、各セルにおける送信タイミングを制御する。無線通信システムは、第１セルの基地局と第２セルの基地局と第１セルの移動局とを有する。第１セルの基地局は、第１制御部と第１通信部とを有する。第１制御部は、所定のリソース単位（例えば、後述のＣＣＥ）に対応する、第１セルの制御チャネルのリソースの特定に用いられる情報を、第２セルの基地局に通知する。第１通信部は、所定のリソース単位の少なくとも一部に対応し、かつ、第１セルの移動局の復号対象である、第１セルの制御チャネルの第１リソースを用いて、第１セルの移動局に制御信号を送信する。第２セルの基地局は、所定のリソース単位に対応する、第２セルのデータチャネルの第２リソースを用いて、ヌルシンボルを送信する第２通信部を有する。第１セルの移動局は、第１セルの基地局から送信された制御信号を、第１リソースにより受信すると共に、第２セルの基地局から送信されたヌルシンボルを、第２リソースにより受信する第３通信部を有する。
【発明の効果】
【０００８】
本願の開示する無線通信システムの一つの態様によれば、データチャネルの受信特性を維持しつつ、制御チャネルへの干渉を低減することができるという効果を奏する。
【図面の簡単な説明】
【０００９】
【図１】図１は、ヘテロジーニアスネットワークの一例を示す図である。
【図２】図２は、各物理チャネルのマッピング方法を説明するための図である。
【図３】図３は、ＰＤＣＣＨのマッピング方法を説明するための図である。
【図４】図４は、ＰＤＣＣＨのサーチスペースを説明するための図である。
【図５】図５は、マクロ基地局、ピコ基地局の送信信号における時間周波数リソースが割り当てられる様子を示す図である。
【図６】図６は、各基地局の送信信号の周波数リソースが割り当てられる様子を説明するための図である。
【図７】図７は、実施例１に係る無線通信システムの構成を示す図である。
【図８】図８は、実施例１に係る移動局の構成を示す図である。
【図９】図９は、実施例１に係る無線通信システムの動作を示す図である。
【図１０】図１０は、実施例１におけるＰＤＣＣＨの多重方法を説明するための図である。
【図１１】図１１は、実施例１に係るピコ基地局のスケジューリングアルゴリズムを説明するための図である。
【図１２】図１２は、実施例４に係る無線通信システムの構成を示す図である。
【図１３】図１３は、実施例４に係る無線通信システムの動作を示す図である。
【図１４】図１４は、実施例４における干渉低減サブフレーム情報の一例を示す図である。
【図１５】図１５は、実施例４に係るピコ基地局のスケジューリングアルゴリズムを説明するための図である。
【図１６】図１６は、実施例５に係る無線通信システムの構成を示す図である。
【図１７】図１７は、実施例５に係る無線通信システムの動作を示す図である。
【発明を実施するための形態】
【００１０】
以下に、本願の開示する無線通信システムの実施例について、図面を参照しながら詳細に説明する。なお、この実施例によりこの発明が限定されるものではない。
【００１１】
まず、図１〜図６を参照して、本願の開示する無線通信システムの前提となる技術について説明する。図１は、ヘテロジーニアスネットワークの一例を示す図である。図１に示すように、マクロセルとピコセルとが混在して運用されている場合、ピコ基地局に接続している移動局において、ピコ基地局からの下りリンクの希望信号ＳＧ１がマクロ基地局から大きな干渉信号ＳＧ２を受ける。その結果、通信品質が大きく劣化してしまう。
【００１２】
このセル間干渉が各物理チャネルに与える影響を説明する前に、各物理チャネルの構成と、時間・周波数リソースへのマッピング方法について、図２を参照して説明する。図２は、各物理チャネルのマッピング方法を説明するための図である。図２に示すように、時間方向では、１ｍｓ長のサブフレームが１４ＯＦＤＭシンボルで構成されており、前方のｎ（＝１〜３）個のＯＦＤＭシンボルには、制御チャネルがマッピングされる。制御チャネルは、例えば、ＰＣＦＩＣＨ（Physical  Control  Format  Indicator  CHannel）、ＰＨＩＣＨ(Physical  Hybrid  ARQ  Indicator  CHannel)、ＰＤＣＣＨ（Physical  Downlink  Control  CHannel)である。
【００１３】
ｎの値は、ＣＦＩ（Control  Format  Indicator）と呼ばれる制御情報として定義される。残りのＯＦＤＭシンボルには、ユーザデータの伝送等に用いられる共有チャネルＰＤＳＣＨ（Physical  Downlink  Shared  CHannel）がマッピングされる。周波数方向では、周波数リソースの割当て単位として、ＲＢ（Resource  Block）が１２サブキャリアで構成されており、各ユーザ向けの共有チャネルがＲＢ単位で周波数多重されている。また、チャネル推定等に用いられるセル固有の参照信号（Cell-specific  RS（Reference  Signal））が、時間、周波数方向に疎らにマッピングされる。なお、時間・周波数リソースの最小単位として、１ＯＦＤＭシンボル、１サブキャリアで囲まれる領域であるＲＥ（Resource  Element）が定義されている。また、制御チャネルのマッピング単位として、ＲＳを除いて周波数方向で連続する４ＲＥにより構成されるＲＥＧ（Resource  Element  Group）が定義されている。
【００１４】
次に、上述の各物理チャネルのうち、特に制御チャネルのマッピング方法について、詳述する。ＰＣＦＩＣＨは、ＣＦＩの伝送に用いられる物理チャネルである。ＰＣＦＩＣＨ用の４つのＲＥＧは、サブフレーム内の先頭のＯＦＤＭシンボルにおいて、セルＩＤに依存するサブキャリア位置を起点とし、システム帯域幅内において略等間隔に分散してマッピングされる。
【００１５】
ＰＨＩＣＨは、上り共有チャネルに関するＡＣＫ／ＮＡＣＫ情報を伝送するのに用いられる物理チャネルである。上位レイヤから通知されるパラメータＮｇに依存してＰＨＩＣＨグループ数が求まり、ＰＨＩＣＨグループ毎に３個のＲＥＧが用いられる。３個のＲＥＧは、ＰＣＦＩＣＨがマッピングされていないＲＥＧの中で、セルＩＤに依存するサブキャリア位置を起点として、システム帯域幅内に、略等間隔に分散してマッピングされる。
【００１６】
ＰＤＣＣＨは、報知情報やユーザデータに関するスケジューリング情報を伝送するのに用いられる物理チャネルである。図３は、ＰＤＣＣＨのマッピング方法を説明するための図である。各ＰＤＣＣＨの使用するリソースの単位として、ＣＣＥ（Control  Channel  Element）が定義されており、ＣＣＥは、９ＲＥＧ（＝３６ＲＥ）により構成される。アグリゲーションレベル（以下、「ＡＬ」と記す。）は、ＰＤＣＣＨの使用するＣＣＥ数、つまり拡散率に相当するパラメータである。ＡＬは、基地局が無線チャネル状態等に応じて｛１，２，４，８｝の中から設定する。詳細については後述するが、各ＰＤＣＣＨは、適切なオフセットを加えて多重され、ＱＰＳＫ（Quadrature  Phase  Shift  Keying）で変調される。各ＰＤＣＣＨは、４個の変調シンボル単位でのインタリーブが行われた後、ＰＣＦＩＣＨ、ＰＨＩＣＨがマッピングされていないＲＥＧにマッピングされる。
【００１７】
なお、移動局は、ＰＤＣＣＨの多重位置を基地局から知らされないため、ＰＤＣＣＨの復号に際して、可能性のある多重位置の候補を探索し、それぞれの受信信号に対して復号を試みる。この復号回数を、移動局で処理可能な程度に制限するために、サーチスペース（以下、「ＳＳ」と記す。）の概念が導入されている。従って、基地局は、制限されたサーチスペース内の任意の場所にＰＤＣＣＨを多重し、移動局は、サーチスペースのみを探索して復号を試みればよい。
【００１８】
図４は、ＰＤＣＣＨのサーチスペースを説明するための図である。図４には、使用可能なＣＣＥが３３個ある場合の、あるサブフレームにおけるサーチスペースの一例が示されている。報知情報のスケジューリング情報を伝送するＰＤＣＣＨのために設けられている共通サーチスペース（Common  Search  Space）は、常に先頭の１６ＣＣＥに固定されている。ユーザデータのスケジューリング情報を伝送するＰＤＣＣＨのために設けられている移動局固有サーチスペース（UE（User  Equipment）  Specific  Search  Space）は、移動局、ＡＬ、サブフレーム毎に先頭位置が異なる。この先頭位置は、ハッシュ関数により決定される。なお、使用可能なＣＣＥ数は、システム帯域幅、アンテナ構成、ＣＦＩ、Ｎｇに応じて変わり得る。
【００１９】
次に、セル間干渉が各物理チャネルに与える影響について説明する。図５は、マクロ基地局、ピコ基地局の送信信号における時間周波数リソースが割り当てられる様子を示す図である。サブフレームの送信タイミングがセル間で同期しているシステムでは、セル間干渉は、共有チャネル同士、制御チャネル同士で発生し得る。ＬＴＥ（Release-8）では、このようなセル間の干渉を低減するために、ＦＦＲ（Fractional  Frequency  Reuse）技術の適用が可能である。例えば、共有チャネルについては、ピコ基地局において、セル境界の移動局の共有チャネルに特定のＲＢを割り当てる。一方、マクロ基地局においては、そのＲＢで共有チャネルを送信しない、あるいは、低送信電力で送信することにより、セル間の干渉を低減することができる。
【００２０】
しかしながら、上述の技術では、制御チャネルについては、システム帯域幅全体に分散配置されるため、ＦＦＲの適用は困難である。制御チャネルにおけるセル間干渉を低減する方法としては、図６に示す方法がある。図６は、各基地局の送信信号の周波数リソースが割り当てられる様子を説明するための図である。図６に示すように、まず、マクロ基地局に対して、ピコ基地局の送信タイミングがＯＦＤＭシンボル単位でシフトされる。次に、ピコ基地局の制御チャネルと重なる、マクロ基地局の共有チャネルが、送信電力０（ゼロ）のヌルシンボルで上書き(ミューティング)される。これにより、マクロセルからピコセルの制御チャネルへの干渉は低減される。一方、上述したように、マクロセルの共有チャネルの受信特性は劣化する。
【実施例１】
【００２１】
まず、本願の開示する一実施例に係る無線通信システムの構成を説明する。図７は、実施例１に係る無線通信システムの構成を示す図である。図７に示すように、無線通信システム１は、ピコ基地局１００とマクロ基地局２００とを有する。ピコ基地局１００は、制御部１００ａと通信部１００ｂとを有する。制御部１００ａは、干渉低減ＣＣＥ設定部１０１とスケジューラ部１０２と無線リソース制御部１０３とセル間干渉判定部１０４と上り制御信号復調部１０６とデータ信号生成部１０７とを有する。また、制御部１００ａは、制御信号生成部１０８と参照信号生成部１０９とチャネル多重部１１０とＩＦＦＴ（Inversed  Fast  Fourier  Transform）部１１１と送信タイミング制御部１１２とを有する。通信部１００ｂは、受信ＲＦ部１０５と送信ＲＦ（Radio  Frequency）部１１３とを有する。これら各構成部分は、一方向又は双方向に、信号やデータの入出力が可能なように接続されている。なお、物理的には、制御部１００ａは、デジタル回路やＤＳＰ（Digital  Signal  Processor）、ＣＰＵ（Central  Processing  Unit）等により構成され、通信部１００ｂは、アンプやフィルタを含むアナログ回路等により構成される。【００２２】
干渉低減ＣＣＥ設定部１０１は、ピコセルの無線パラメータに基づいて、干渉低減ＣＣＥを設定し、スケジューラ部１０２に通知する。【００２３】
スケジューラ部１０２は、干渉低減ＣＣＥに基づいて、被干渉ピコＵＥ（User  Equipment、移動局）用のＰＤＣＣＨへＣＣＥを割り当てる点において、通常の（マクロ基地局２００の）スケジューラ部２０４と異なる。スケジューラ部１０２は、各移動局から通知されたチャネル品質情報（ＣＱＩ（Channel  Quality  Indicator））に基づいて、各移動局向けのデータ信号への周波数リソースの割当て、ＭＣＳ（Modulation  and  Coding  Scheme）、情報ビット数等を決定する。また、スケジューラ部１０２は、移動局数に応じてＣＦＩを決定し、使用可能なＣＣＥを各移動局用のＰＤＣＣＨに割り当てる。【００２４】
無線リソース制御部１０３は、ミューティング要求信号と、ピコセルのＣＣＥの特定に必要な無線パラメータ（アンテナ数、ＣＦＩ、セルＩＤ、Ｎｇ）とを、マクロ基地局２００の無線リソース制御部２０５に通知する。この通知は、有線インタフェースを介して行われる。無線リソース制御部１０３は、無線リソース制御部２０５から、後述の時間シフト量の情報を受信する。無線リソース制御部１０３は、各移動局から通知された各セルの受信電力（ＲＳＲＰ（Reference  Signal  Received  Power））の情報に基づき、ハンドオーバーの制御を行う。【００２５】
セル間干渉判定部１０４は、各移動局から通知された各セルのＲＳＲＰの情報に基づいて、各移動局におけるセル間干渉の状態を推定し、ミューティング（ヌルシンボルでの上書き処理）の適用を要求するか否かを判定する。判定結果は、ミューティング要求信号として、無線リソース制御部１０３へ転送される。【００２６】
送信タイミング制御部１１２は、時間シフト量の情報に基づいて、下りリンク信号の送信タイミングをＯＦＤＭシンボル単位でシフトさせる。【００２７】
同様に、マクロ基地局２００は、制御部２００ａと通信部２００ｂとを有する。制御部２００ａは、ミューティング処理部２０１と干渉低減ＣＣＥ設定部２０２とミューティング制御部２０３とスケジューラ部２０４と無線リソース制御部２０５と上り制御信号復調部２０７とを有する。また、制御部２００ａは、参照信号生成部２０８と制御信号生成部２０９とデータ信号生成部２１０とチャネル多重部２１１とＩＦＦＴ部２１２とを有する。通信部２００ｂは、受信ＲＦ部２０６と送信ＲＦ部２１３とを有する。これら各構成部分は、一方向又は双方向に、信号やデータの入出力が可能なように接続されている。なお、物理的には、制御部２００ａは、デジタル回路やＤＳＰ、ＣＰＵ等により構成され、通信部２００ｂは、アンプやフィルタを含むアナログ回路等により構成される。【００２８】
ミューティング処理部２０１は、ミューティング制御部２０３から転送されたミューティング制御情報に基づいて、ミューティング処理を実行する。【００２９】
干渉低減ＣＣＥ設定部２０２は、ピコセルの無線パラメータに基づいて、干渉低減ＣＣＥを設定し、ミューティング制御部２０３に通知する。【００３０】
ミューティング制御部２０３は、ミューティング要求に基づいてミューティングの実行を決定し、ピコセルの干渉低減ＣＣＥに対応する、マクロセルのＰＤＳＣＨ  ＲＥをミューティング領域として設定する。その後、ミューティング制御部２０３は、ミューティング領域情報をミューティング処理部２０１へ通知する。そして、ミューティング制御部２０３は、ピコセルの時間シフト量を決定し、無線リソース制御部２０５へ通知する。【００３１】
スケジューラ部２０４は、各移動局から通知されたＣＱＩに基づいて、各移動局向けのデータ信号への周波数リソースの割当て、ＭＣＳ（Modulation  and  Coding  Scheme）、情報ビット数等を決定する。また、スケジューラ部２０４は、移動局数に応じてＣＦＩを決定し、使用可能なＣＣＥを各移動局用のＰＤＣＣＨに割り当てる。【００３２】
無線リソース制御部２０５は、時間シフト量情報を、有線インタフェースを介して、ピコ基地局１００の無線リソース制御部１０３に通知する。無線リソース制御部２０５は、ミューティング要求信号と、ピコセルの無線パラメータ（アンテナ数、ＣＦＩ、セルＩＤ、Ｎｇ）とを、無線リソース制御部１０３から受信する。無線リソース制御部２０５は、各移動局から通知された各セルのＲＳＲＰの情報に基づき、ハンドオーバーの制御を行う。【００３３】
その他の構成部分として、ピコ基地局１００とマクロ基地局２００とは、処理内容の共通する構成部分を複数有する。受信ＲＦ部１０５、２０６は、上りリンクの受信信号に対して、無線周波数からベースバンドへの変換を行い、直交復調、Ａ／Ｄ（Analog  to  Digital）変換を行う。受信ＲＦ部１０５、２０６は、アンテナＡ１、Ａ３をそれぞれ有し、上り信号を受信する。上り制御信号復調部１０６、２０７は、上り制御信号の復調を行い、制御情報であるＣＱＩ及び各セルのＲＳＲＰを復元する。データ信号生成部１０７、２１０は、リソース割当て、ＭＣＳの情報等に基づいて、データ信号を生成する。制御信号生成部１０８、２０９は、リソース割当て情報等により構成される制御情報に基づいて、制御信号を生成する。参照信号生成部１０９、２０８は、参照信号を生成する。チャネル多重部１１０、２１１は、各物理チャネルを周波数多重する。ＩＦＦＴ部１１１、２１２は、逆フーリエ変換（ＩＦＦＴ）を行い、ＣＰ（Cyclic  Prefix）を付加する。送信ＲＦ部１１３、２１３は、Ｄ／Ａ変換、直交変調を行うと共に、ベースバンドから無線周波数への変換を行い、電力を増幅して下りリンクの信号を送信する。送信ＲＦ部１１３、２１３は、アンテナＡ２、Ａ４をそれぞれ有し、下り信号を送信する。【００３４】
次に、移動局１０の構成を説明する。図８は、実施例１に係る移動局の構成を示す図である。移動局１０は、制御部１０ａと通信部１０ｂとを有する。制御部１０ａは、ＦＦＴ部１２とデータ信号復調部１３と制御信号復調部１４とチャネル推定部１５とＣＱＩ算出部１６とＲＳＲＰ測定部１７と上り制御信号生成部１８とを有する。通信部１０ｂは、受信ＲＦ部１１と送信ＲＦ部１９とを有する。これら各構成部分は、一方向又は双方向に、信号やデータの入出力が可能なように接続されている。【００３５】
受信ＲＦ部１１は、下りリンクの受信信号に対して、無線周波数からベースバンドへの変換を行い、直交復調、Ａ／Ｄ変換を行う。受信ＲＦ部１１は、アンテナＡ５により下り信号を受信する。ＦＦＴ（Fast  Fourier  Transform）部１２は、典型的なＯＦＤＭ方式と同様、受信信号の切出しタイミングを検出しＣＰを除去した後、この検出結果を、フーリエ変換（ＦＦＴ）により周波数領域の受信信号に変換する。データ信号復調部１３は、リソース割当て情報に基づいて、受信信号から抽出されたデータ信号を復調し、データ情報を復元する。制御信号復調部１４は、受信信号から抽出された制御信号を復調し、制御情報としてリソース割当て情報を復元する。チャネル推定部１５は、受信信号から抽出された参照信号と既知の参照信号のレプリカとの相関をとることにより、チャネル推定値を得る。なお、このチャネル推定は、移動局１０が接続しているセルだけでなく、その周辺のセルについても行われる。ＣＱＩ算出部１６は、移動局１０の接続しているセルのチャネル推定値を用いて、チャネル品質情報（上述のＣＱＩ）を算出する。ＲＳＲＰ測定部１７は、移動局１０の接続しているセル及びその周辺セルのチャネル推定値を用いて、各セルの参照信号の受信電力（上述のＲＳＲＰ）を測定する。上り制御信号生成部１８は、ＣＱＩ及び各セルのＲＳＲＰにより構成される制御情報に基づいて、上り制御信号を生成する。送信ＲＦ部１９は、Ｄ／Ａ（Digital  to  Analog）変換及び直交変調を行った後、ベースバンドから無線周波数への変換を行い、電力を増幅して上りリンクの信号を送信する。送信ＲＦ部１９は、アンテナＡ６により上り信号を送信する。なお、物理的には、制御部１０ａは、デジタル回路やＤＳＰ、ＣＰＵ等により構成され、通信部１０ｂは、アンプやフィルタを含むアナログ回路等により構成される。【００３６】
次に、動作を説明する。本実施例では、図１に示したような、マクロセルの中に１個のピコセルが混在するネットワーク環境を想定する。図９は、実施例１に係る無線通信システム１の動作を示す図である。なお、以下の説明においては、ピコ基地局１００に接続している移動局をピコＵＥ、マクロ基地局２００に接続している移動局をマクロＵＥとする。【００３７】
Ｓ１では、ピコＵＥは、接続しているセルと周辺セルに関して、ＲＳ（Reference  Signal）の受信電力を測定し、測定結果をＲＳＲＰとしてピコ基地局１００に報告する。【００３８】
Ｓ２では、ピコ基地局１００は、各ピコＵＥから通知された各セルのＲＳＲＰの情報に基づいて、各ピコＵＥにおけるセル間干渉の状態を推定し、その推定結果に基づいて、ミューティング要求を行うか否かを判定する。例えば、ピコセルのＲＳＲＰを“ＲＳＲＰ＿Ｓ”とし、隣接するマクロセルのＲＳＲＰを“ＲＳＲＰ＿Ｉ”とすると、パラメータα＝ＲＳＲＰ＿Ｓ／ＲＳＲＰ＿Ｉは、ピコＵＥにおけるセル間干渉の状態を表す。そこで、αが既定の閾値（例えば、干渉への耐性が最も強いＡＬ＝８を適用した場合にＰＤＣＣＨのブロック誤り率が１％となるＳＩＮＲ（Signal  to  Interference  and  Noise  Ratio）を下回る移動局を、被干渉ピコＵＥと定義する。そして、被干渉ピコＵＥの個数を判定基準とし、この判断基準が既定の閾値（例えば１）以上となった場合に、ミューティングの適用が要求される。なお、判定基準として、被干渉ピコＵＥの個数に限らず、全ピコＵＥ数に対する被干渉ピコＵＥ数の比率を用いてもよい。【００３９】
Ｓ３では、ピコ基地局１００は、ミューティングの適用を要求する場合、マクロ基地局２００に対して、ミューティング要求信号と、ピコセルのＣＣＥ把握に必要な無線パラメータ（アンテナ数、ＣＦＩ、セルＩＤ、Ｎｇ）とを通知する。【００４０】
Ｓ４では、マクロ基地局２００は、ミューティング要求信号に基づいて、ミューティングを行うことを決定し、ミューティング領域を設定する。具体的には、まず、マクロ基地局２００は、ピコセルの無線パラメータに基づいて、ピコセルで割当て可能なＣＣＥ数を算出する。次に、マクロ基地局２００は、ピコセルの特定のＣＣＥ（例えば共通ＳＳ）を干渉低減ＣＣＥと定義し、これに対応する、マクロセルのＰＤＳＣＨ  ＲＥをミューティング領域として設定する。そして、マクロ基地局２００は、ピコセルにおける時間シフト量を決定する。時間シフト量は、例えば、マクロセルのＣＦＩそのもの、あるいはＣＦＩの上限値３に決定される。【００４１】
Ｓ５では、マクロ基地局２００は、Ｓ４で決定された時間シフト量をピコ基地局１００に通知する。【００４２】
Ｓ６では、ピコ基地局１００は、通知された時間シフト量に基づいて送信タイミングを変更し、ＣＦＩ更新周期を長い値に設定する。なぜなら、マクロセルのミューティング領域はピコセルのＣＦＩに基づいて決まることから、仮にＣＦＩが頻繁に変更されると、マクロセルとピコセルとの間でＣＦＩの認識が不整合となるためである。また、ピコ基地局１００は、マクロ基地局２００と共通のルールに基づき、干渉低減ＣＣＥとして、特定のＣＣＥ（例えば共通ＳＳ）を設定する。【００４３】
ここで、図１０は、本実施例におけるＰＤＣＣＨの多重方法を説明するための図である。Ｓ７では、図１０に示すように、ピコ基地局１００は、被干渉ピコＵＥに関して、ＵＥ固有ＳＳが干渉低減ＣＣＥとオーバーラップする場合のみスケジューリング対象とし、オーバーラップする領域の一部のＣＣＥを、被干渉ピコＵＥ用のＰＤＣＣＨに割り当てる。【００４４】
図１１は、ピコ基地局１００がＳ７で実行するスケジューリングアルゴリズムを説明するための図である。まず、ピコ基地局１００が、スケジューリングの候補となるＵＥを選択すると（Ｓ１１）、データ信号用リソースの確保の可否を判定する（Ｓ１２）。判定の結果、リソース確保が可能な場合には（Ｓ１２；Ｙｅｓ）、ピコ基地局１００は、ＰＤＣＣＨのＡＬ（アグリゲーションレベル）を選択した上で（Ｓ１３）、Ｓ１１で選択されたＵＥが被干渉ピコＵＥであるか否かの判定を行う（Ｓ１４）。【００４５】
Ｓ１４における判定の結果、Ｓ１１で選択されたＵＥが被干渉ピコＵＥでない場合（Ｓ１４；Ｎｏ）、ピコ基地局１００は、Ｓ１３で選択されたＡＬのＳＳ内において、ＰＤＣＣＨ用リソースの確保が可能であるか否かの判定を行う（Ｓ１５）。当該判定の結果、リソースの確保が可能な場合には（Ｓ１５；Ｙｅｓ）、ピコ基地局１００は、データ信号用リソース及びＰＤＣＣＨ用リソースを確保する（Ｓ１６）。その後、ピコ基地局１００は、スケジューリングの候補となる他のＵＥを探索し（Ｓ１７）、他の候補ＵＥが無ければ（Ｓ１７；Ｎｏ）、スケジューリング処理を終了する。【００４６】
Ｓ１４における判定の結果、Ｓ１１で選択されたＵＥが被干渉ピコＵＥである場合（Ｓ１４；Ｙｅｓ）、ピコ基地局１００は、Ｓ１３で選択されたＡＬのＳＳ内において、干渉低減ＣＣＥと重なるＰＤＣＣＨ用リソースの確保が可能であるかの判定を行う（Ｓ１８）。当該判定の結果、リソースの確保が可能な場合には（Ｓ１８；Ｙｅｓ）、ピコ基地局１００は、上述のＳ１６の処理を実行する。一方、Ｓ１８において上記リソースの確保ができない場合には（Ｓ１８；Ｎｏ）、Ｓ１１に戻り、それ以降の処理が再び実行される。【００４７】
なお、上記Ｓ１２及びＳ１５においてリソースの確保が不可と判定された場合（Ｓ１２；Ｎｏ、Ｓ１５；Ｎｏ）にも同様に、Ｓ１１に戻り、それ以降の処理が再び実行される。【００４８】
上述したＳ１１〜Ｓ１８の一連の処理は、スケジューリング対象の候補ＵＥが無くなるまで繰り返し実行され（Ｓ１７；Ｙｅｓ）、全ての候補ＵＥについてスケジューリング処理が完了した時点で終了する。【００４９】
図９に戻り、Ｓ８では、ピコ基地局１００は、干渉低減ＣＣＥを用いて、被干渉ピコＵＥ用のＰＤＣＣＨを送信する。【００５０】
Ｓ９では、マクロ基地局２００は、マクロＵＥ用のＰＤＳＣＨを送信するが、送信する際、干渉低減ＣＣＥに対応するミューティング領域をミューティングする。このミューティングにより、マクロセルからピコセルにおける被干渉ピコＵＥ用のＰＤＣＣＨへの干渉は、低減される。【００５１】
以上でフローチャートを用いた動作説明を終了する。【００５２】
上述したように、実施例１における無線通信システム１は、ピコセルのＰＤＣＣＨとマクロセルのＰＤＳＣＨとが時間的に重なるように、各セルにおける送信タイミングを制御する。無線通信システム１は、ピコ基地局１００とマクロ基地局２００とピコ移動局１０とを有する。ピコ基地局１００は、制御部１００ａと通信部１００ｂとを有する。制御部１００ａは、所定のリソース単位に対応する、ＰＤＣＣＨのリソースの特定に用いられる情報を、マクロ基地局２００に通知する。通信部１００ｂは、上記所定のリソース単位の少なくとも一部に対応し、かつ、ピコ移動局１０の復号対象である、ピコセルのＰＤＣＣＨの第１リソースを用いて、ピコ移動局１０に対し制御信号を送信する。マクロ基地局２００は、上記所定のリソース単位に対応する、マクロセルのＰＤＳＣＨの第２リソースを用いて、ヌルシンボルを送信する通信部２００ｂを有する。ピコ移動局１０は、ピコ基地局１００から送信された制御信号を第１リソースにより受信すると共に、マクロ基地局２００から送信されたヌルシンボルを上記第２リソースにより受信する通信部１０ｂを有する。ここで、所定のリソース単位は、一以上のＣＣＥであり、例えば、干渉低減ＣＣＥである。第１リソースは、ピコ移動局１０固有のサーチスペースであり、例えば、干渉低減ＣＣＥとユーザ固有サーチスペースとがオーバーラップする領域のＣＣＥが、時間・周波数領域にマッピングされた先のリソースエレメントである。第２リソースは、干渉低減ＣＣＥが、時間・周波数領域にマッピングされた先のリソースエレメントである。これにより、無線通信システム１は、ＰＤＳＣＨの受信特性を維持しつつ、ＰＤＣＣＨへの干渉を低減することができる。
【実施例２】
【００５３】
実施例２では、実施例１における無線通信システムにＴＰＣ（Transmission  Power  Control）の技術を適用した例を説明する。すなわち、実施例１のピコ基地局１００のスケジューラ部１０２では、被干渉ピコＵＥについて、ＵＥ固有ＳＳが干渉低減ＣＣＥとオーバーラップする場合のみスケジューリングの対象とした。しかしながら、ＵＥ固有ＳＳは、移動局、ＡＬ、サブフレーム毎に先頭位置が異なるため、無線チャネル状態に最適なＡＬ用のＳＳが、必ずしも干渉低減ＣＣＥとオーバーラップするとは限らない。【００５４】
そこで、無線チャネル状態に最適なＡＬ以外のＡＬも選択できるようにすれば、ＵＥ固有ＳＳが干渉低減ＣＣＥとオーバーラップする確率がより高くなる。これにより、被干渉ピコＵＥがスケジューリングされる機会が増加するため、スループットの向上を期待できる。但し、単純に、無線チャネル状態に最適なＡＬ以外のＡＬを適用するだけでは、ＰＤＣＣＨのブロック誤りが頻発することが懸念される。【００５５】
そこで、実施例２における無線通信システムは、上記懸念を回避するために、送信電力制御（ＴＰＣ）を併用する。例えば、無線チャネル状態に最適なＡＬをＡＬｏｐｔとし、実際に適用するＡＬをＡＬｓｅｌとすると、スケジューラ部１０２は、ＲＥ当たりの送信電力を（ＡＬｏｐｔ／ＡＬｓｅｌ）倍に制御する。これにより、ＰＤＣＣＨリソース当りの送信電力は、ＡＬ＝ＡＬｏｐｔを適用した場合の送信電力と同等になる。その結果、ＰＤＣＣＨのブロック誤りは抑制される。【００５６】
上述してきたように、実施例２における無線通信システム１において、ピコ基地局１００の制御部１００ａは、ピコセルに接続する移動局１０用のＰＤＣＣＨに適用するアグリゲーションレベルを、移動局１０の無線チャネル状態に基づいて暫定的に選択する。ピコ基地局１００の通信部１００ｂは、移動局１０の暫定的なアグリゲーションレベルに対するＵＥ固有ＳＳが干渉低減ＣＣＥと重ならない場合に、ＵＥ固有ＳＳが干渉低減ＣＣＥと重なる、暫定値以上のアグリゲーションレベルを選択して送信する。あるいは、通信部１００ｂは、ＵＥ固有ＳＳが干渉低減ＣＣＥと重なる、暫定値未満のアグリゲーションレベルを選択し、送信電力を所定値以上にして送信する。これにより、ＰＤＣＣＨのブロック誤りを抑制しつつ、ＵＥ固有ＳＳが干渉低減ＣＣＥとオーバーラップする確率を向上することができる。その結果、被干渉ピコＵＥがスケジューリングされる機会が増加し、システムのスループットが向上する。
【実施例３】
【００５７】
実施例３では、実施例１における無線通信システムに、複数ピコ基地局に応じた一括ミューティングの技術を適用した例を説明する。本実施例では、実施例１と異なり、マクロセルの中に複数のピコセルが混在するネットワーク環境を想定する。【００５８】
本実施例では、マクロ基地局２００のミューティング制御部２０３において、複数のピコ基地局から通知されたミューティング要求信号に基づき、実際にミューティングを適用するか否かを、どのように判定するかが問題となる。かかる判定の基準としては、ミューティングの適用を要求するピコ基地局の個数が既定の閾値を超えるか否か等がある。【００５９】
第１の例として、移動通信システムの設計方針として、マクロ基地局２００からピコ基地局１００の制御チャネルへの干渉を低減することを重視する場合が挙げられる。この場合、ミューティング制御部２０３は、１個以上のピコ基地局からミューティングの適用を要求された場合に、実際にミューティングを適用すればよい。【００６０】
第２の例として、ピコ基地局１００とマクロ基地局２００との間に、伝送効率に関するトレードオフの関係がある。すなわち、ミューティング量が多い程、ピコ基地局１００の受信特性は向上するが、一方で、マクロ基地局２００の受信特性が犠牲になる。この点に鑑みて、これらのバランスをとることを重視する場合が挙げられる。この場合、ミューティング制御部２０３は、半数以上のピコ基地局からミューティングの適用を要求された場合に、実際にミューティングを適用すればよい。【００６１】
本実施例において次に考慮すべき点は、複数のピコ基地局において干渉低減ＣＣＥをどのように設定し、マクロ基地局２００においてミューティング領域をどのように設定するかという点である。例えば、ミューティング制御部２０３は、まず、実施例１と同様に、各ピコセルの特定のＣＣＥ（例えば共通ＳＳ）を干渉低減ＣＣＥと定義する。ＣＣＥと、ＣＣＥがマッピングされるＲＥ位置との対応は、各ピコセルの送信アンテナ数、ＣＦＩ、セルＩＤ、Ｎｇに依存する。このため、必ずしも各ピコセル間で一致するとは限らない。そこで、ミューティング制御部２０３は、各ピコセルの干渉低減ＣＣＥがマッピングされるＲＥを全て含むようにミューティング領域を設定すればよい。【００６２】
上述してきたように、実施例３における無線通信システム１において、マクロ基地局２００は、制御部２００ａと通信部２００ｂとを有する。制御部２００ａは、複数のピコセルそれぞれについて、ピコセルの無線パラメータに基づいて、ピコセルの干渉低減ＣＣＥがマッピングされるＲＥを算出する。通信部２００ｂは、制御部２００ａにより算出された全ＲＥにおいて、同一のサブフレームによりヌルシンボルを送信する。これにより、マクロセルの中に複数のピコセルが混在するネットワーク環境において、実施例１における無線通信システムに対し、複数ピコ基地局に応じた一括ミューティングの技術を適用することができる。その結果、１つのマクロセルが複数のピコセルのＰＤＣＣＨに与える干渉を低減することができる。【００６３】
実施例３における無線通信システム１において、ピコ基地局１００の制御部１００ａは、干渉低減ＣＣＥがマッピングされるリソースの特定に必要な情報として、ピコセルの無線パラメータを、マクロ基地局２００に通知する制御を行う。マクロ基地局２００の制御部２００ａは、ピコ基地局１００から通知された無線パラメータの情報に基づいて、ピコセルの干渉低減ＣＣＥがマッピングされるリソースを特定する。これにより、マクロ基地局２００は、ピコセルのＰＤＣＣＨがマッピングされる可能性の高いＲＥの位置を正確に知ることができる。
【実施例４】
【００６４】
実施例４では、実施例１における無線通信システムに、複数ＰｅＮＢに応じた時分割ミューティングの技術を適用した例を説明する。本実施例では、実施例１と異なり、マクロセルの中に複数のピコセルが混在するネットワーク環境を想定する。【００６５】
実施例３では、ミューティング制御部２０３は、各ピコセルの干渉低減ＣＣＥがマッピングされるＲＥを全て含むように、マクロセルのミューティング領域を設定した。これにより、複数のピコセルにおける被干渉ピコＵＥに対して、一括での干渉制御が可能となる。しかしながら、一方で、必要なミューティング領域が大きくなる傾向がある。そこで、本実施例では、無線通信システムは、必要なミューティング領域を小さく保ったまま、複数のピコセルにおける被干渉ピコＵＥに対して干渉制御を行う。かかる干渉制御を実現するために、マクロ基地局のミューティング制御部は、サブフレーム毎に個別のピコセルに特化してミューティングを行う。【００６６】
まず、実施例４における無線通信システムの構成について説明する。図１２は、実施例４における無線通信システムの構成を示す図である。図１２に示すように、無線通信システム２は、ピコ基地局３００とマクロ基地局４００とを有する。ピコ基地局３００は、制御部３００ａと通信部３００ｂとを有する。制御部３００ａは、干渉低減ＣＣＥ設定部３０１とスケジューラ部３０２と無線リソース制御部３０３とセル間干渉判定部３０４と上り制御信号復調部３０６とデータ信号生成部３０７とを有する。また、制御部３００ａは、制御信号生成部３０８と参照信号生成部３０９とチャネル多重部３１０とＩＦＦＴ部３１１と送信タイミング制御部３１２とを有する。通信部３００ｂは、受信ＲＦ部３０５と送信ＲＦ部３１３とを有する。これら各構成部分は、一方向又は双方向に、信号やデータの入出力が可能なように接続されている。【００６７】
同様に、マクロ基地局４００は、制御部４００ａと通信部４００ｂとを有する。制御部４００ａは、ミューティング処理部４０１と干渉低減ＣＣＥ設定部４０２とミューティング制御部４０３とスケジューラ部４０４と無線リソース制御部４０５と上り制御信号復調部４０７とを有する。また、制御部４００ａは、参照信号生成部４０８と制御信号生成部４０９とデータ信号生成部４１０とチャネル多重部４１１とＩＦＦＴ部４１２とを有する。通信部４００ｂは、受信ＲＦ部４０６と送信ＲＦ部４１３とを有する。これら各構成部分は、一方向又は双方向に、信号やデータの入出力が可能なように接続されている。【００６８】
無線通信システム２は、実施例１における無線通信システム１と同様の構成を有する。したがって、同様の構成要素には、末尾が同一の参照符号を付すとともに、その詳細な説明は省略する。【００６９】
具体的には、実施例４におけるピコ基地局３００とマクロ基地局４００とは、実施例１におけるピコ基地局１００とマクロ基地局２００とにそれぞれ対応する構成要素である。また、ピコ基地局３００の制御部３００ａと通信部３００ｂとは、ピコ基地局１００の制御部１００ａと通信部１００ｂとに、それぞれ対応する。同様に、マクロ基地局４００の制御部４００ａと通信部４００ｂとは、マクロ基地局２００の制御部２００ａと通信部２００ｂとに、それぞれ対応する。【００７０】
ピコ基地局３００の干渉低減ＣＣＥ設定部３０１とスケジューラ部３０２と無線リソース制御部３０３とは、ピコ基地局１００の干渉低減ＣＣＥ設定部１０１とスケジューラ部１０２と無線リソース制御部１０３とにそれぞれ対応する。また、セル間干渉判定部３０４と受信ＲＦ部３０５と上り制御信号復調部３０６とデータ信号生成部３０７とは、セル間干渉判定部１０４と受信ＲＦ部１０５と上り制御信号復調部１０６とデータ信号生成部１０７とにそれぞれ対応する。更に、制御信号生成部３０８と参照信号生成部３０９とチャネル多重部３１０とは、制御信号生成部１０８と参照信号生成部１０９とチャネル多重部１１０とにそれぞれ対応する。そして、ＩＦＦＴ部３１１と送信タイミング制御部３１２と送信ＲＦ部３１３とは、ＩＦＦＴ部１１１と送信タイミング制御部１１２と送信ＲＦ部１１３とにそれぞれ対応する。【００７１】
同様に、マクロ基地局４００のミューティング処理部４０１と干渉低減ＣＣＥ設定部４０２とは、マクロ基地局２００のミューティング処理部２０１と干渉低減ＣＣＥ設定部２０２とにそれぞれ対応する。また、ミューティング制御部４０３とスケジューラ部４０４と無線リソース制御部４０５とは、ミューティング制御部２０３とスケジューラ部２０４と無線リソース制御部２０５とにそれぞれ対応する。更に、受信ＲＦ部４０６と上り制御信号復調部４０７と参照信号生成部４０８とは、受信ＲＦ部２０６と上り制御信号復調部２０７と参照信号生成部２０８とにそれぞれ対応する。また、制御信号生成部４０９とデータ信号生成部４１０とチャネル多重部４１１とは、制御信号生成部２０９とデータ信号生成部２１０とチャネル多重部２１１とにそれぞれ対応する。更に、ＩＦＦＴ部４１２と送信ＲＦ部４１３とは、ＩＦＦＴ部２１２と送信ＲＦ部２１３とにそれぞれ対応する。【００７２】
なお、移動局の構成は、実施例１と同様であるので、その説明は省略する。【００７３】
以下、実施例４と実施例１との主要な差異について説明する。ピコ基地局３００のセル間干渉判定部３０４は、各移動局から通知された各セルのＲＳＲＰの情報に基づいて、各移動局におけるセル間干渉の状態を推定する。セル間干渉判定部３０４は、当該推定結果を基に、ミューティングの適用を要求するか否かを判定し、被干渉ＵＥ数情報を生成する。セル間干渉判定部３０４は、当該被干渉ＵＥ数情報を、無線リソース制御部３０３へ転送する。ピコ基地局３００の無線リソース制御部３０３は、被干渉ＵＥ数情報と、ピコセルのＣＣＥの把握に必要な無線パラメータ（アンテナ数、ＣＦＩ、セルＩＤ、Ｎｇ）とを、マクロ基地局４００の無線リソース制御部４０５に通知する。無線リソース制御部３０３は、時間シフト量の情報、及び各ピコセル用の干渉低減サブフレーム情報をマクロ基地局４００から受信する。ピコ基地局３００のスケジューラ部３０２は、当該各ピコセル用の干渉低減サブフレーム情報と干渉低減ＣＣＥとに基づいて、被干渉ピコＵＥ用のＰＤＣＣＨへＣＣＥを割り当てる。【００７４】
一方、マクロ基地局４００のミューティング制御部４０３は、各ピコセルの被干渉ＵＥ数情報に基づいて、各ピコセル用の干渉低減サブフレーム情報を生成する。ミューティング制御部４０３は、各ピコセルの干渉低減ＣＣＥに対応する、マクロセルのＰＤＳＣＨ  ＲＥを、各ピコセル用のミューティング領域として設定する。そして、ミューティング制御部４０３は、サブフレーム毎に、干渉低減サブフレームが設定されたピコセル用のミューティング領域情報をミューティング処理部４０１へ通知する。【００７５】
ミューティング制御部４０３は、各ピコセル共通の時間シフト量を決定し、その時間シフト量を、各ピコセル用の干渉低減サブフレーム情報と共に、無線リソース制御部４０５へ通知する。【００７６】
マクロ基地局４００の無線リソース制御部４０５は、時間シフト量情報と各ピコセル用の干渉低減サブフレーム情報とを、有線インタフェースを介して、各ピコ基地局３００の無線リソース制御部３０３に通知する。無線リソース制御部４０５は、各ピコセルの被干渉ＵＥ数情報と無線パラメータ（アンテナ数、ＣＦＩ、セルＩＤ、Ｎｇ）とをピコ基地局３００から受信する。また、無線リソース制御部４０５は、ピコ基地局５００との間で各種データや信号の送受信を行う。【００７７】
次に、動作を説明する。本実施例では、マクロセルの中に２個のピコセルが混在するネットワーク環境を想定している。図１３は、実施例４に係る無線通信システム２の動作を示す図である。なお、以下の説明においては、ピコ基地局３００に接続している移動局をピコＵＥ１０とし、ピコ基地局５００に接続している移動局をピコＵＥ２０とし、マクロ基地局４００に接続している移動局をマクロＵＥとする。また、ピコ基地局３００により形成されるピコセルをピコセルＣ１とし、ピコ基地局５００により形成されるピコセルをピコセルＣ２とする。【００７８】
Ｓ２１では、ピコＵＥ１０は、接続しているセルと周辺セルに関して、ＲＳの受信電力を測定し、測定結果をＲＳＲＰとしてピコ基地局３００に報告する。ピコＵＥ２０においても、Ｓ２１と同様の処理が実行され、各セルのＲＳＲＰがピコ基地局５００に報告される（Ｓ２２）。【００７９】
Ｓ２３では、ピコ基地局３００は、各ピコＵＥから通知された各セルのＲＳＲＰの情報に基づいて、各ピコＵＥにおけるセル間干渉の状態を推定し、その推定結果に基づいて、ミューティング要求を行うか否かを判定する。ピコ基地局５００においても、同様の推定処理及び判定処理を実行する（Ｓ２４）。詳細な処理内容については、実施例１における図９のＳ２の処理と同様であるので、説明を省略する。【００８０】
Ｓ２５では、ピコ基地局３００は、ミューティングの適用を要求する場合、マクロ基地局４００に対して、被干渉ＵＥ数情報と、ピコセルＣ１のＣＣＥ把握に必要な無線パラメータ（アンテナ数、ＣＦＩ、セルＩＤ、Ｎｇ）とを通知する。ここで、被干渉ＵＥ数情報としては、ミューティング要求を行うか否かの判定基準である被干渉ピコＵＥの個数が用いられる。なお、被干渉ＵＥ数情報としては、当該個数に限らず、全ピコＵＥ数に対する被干渉ピコＵＥ数の比率を用いてもよい。Ｓ２６では、ピコ基地局５００からマクロ基地局に対して、Ｓ２５と同様の処理が実行される。【００８１】
Ｓ２７では、マクロ基地局４００は、複数のピコ基地局３００、５００からの被干渉ＵＥ数情報とピコセル情報とに基づいて、ミューティングの適用方法を決定する。具体的には、マクロ基地局４００は、対象とするピコセル毎に干渉低減ＣＣＥを定義し、これに対応する、マクロセルのＰＤＳＣＨ  ＲＥをミューティング領域として設定する。また、マクロ基地局４００は、対象とするピコセル用の干渉低減ＣＣＥと、ミューティング領域が設定されるサブフレーム（干渉低減サブフレーム）とを、被干渉ＵＥ数情報に基づいて決定する。例えば、ピコセルＣ１，Ｃ２の被干渉ＵＥ数情報の示す値が、それぞれｐ＿ｍｕｔｅ１、ｐ＿ｍｕｔｅ２である場合には、マクロ基地局４００は、各ピコセルＣ１，Ｃ２用の干渉低減サブフレームの個数の比率を（ｐ＿ｍｕｔｅ１：ｐ＿ｍｕｔｅ２）とする。マクロ基地局４００は、当該比率に基づいて、各ピコセルＣ１，Ｃ２用の干渉低減サブフレームがどのサブフレームに位置するかを表す情報（干渉低減サブフレーム情報）を生成する。【００８２】
図１４は、本実施例における上記干渉低減サブフレーム情報の一例を示す図である。図１４は、（ｐ＿ｍｕｔｅ１：ｐ＿ｍｕｔｅ２）＝（３：７）の場合における、１０サブフレーム周期で定義される干渉低減サブフレーム情報を示す。図１４では、「1」が出現するサブフレーム番号において、対応するピコセル用の干渉低減サブフレームが設定される。そして、マクロ基地局４００は、各ピコセルＣ１，Ｃ２における共通の時間シフト量を決定する。この時間シフト量は、例えば、マクロセルのＣＦＩそのもの、あるいはＣＦＩの上限値３に決定される。【００８３】
図１３に戻り、Ｓ２８では、マクロ基地局４００は、Ｓ２７で決定された干渉低減サブフレーム情報及び時間シフト量をピコ基地局５００に通知する。これらの情報は、マクロ基地局４００からピコ基地局３００に対しても通知される（Ｓ２９）。【００８４】
Ｓ３０では、ピコ基地局３００は、マクロ基地局４００から通知された時間シフト量に基づいて送信タイミングを変更し、ＣＦＩ更新周期を長い値に設定する。また、ピコ基地局３００は、マクロ基地局４００と共通のルールに基づき、特定のＣＣＥ（例えば共通ＳＳ）をピコセルＣ１の干渉低減ＣＣＥとして設定する。【００８５】
Ｓ３１では、ピコ基地局３００は、被干渉ピコＵＥに関して、ピコセル用干渉低減サブフレームが設定され、かつ、ＵＥ固有ＳＳがピコセルＣ１の干渉低減ＣＣＥとオーバーラップする場合にのみ、上記被干渉ピコＵＥをスケジューリング対象とする。ピコ基地局３００は、オーバーラップする領域の一部のＣＣＥを、被干渉ピコＵＥ用のＰＤＣＣＨに割り当てる。【００８６】
次に、本実施例におけるスケジューリングアルゴリズムについて説明する。図１５は、実施例４に係るピコ基地局３００、５００のスケジューリングアルゴリズムを説明するための図である。図１５は、ステップＳ４９の判定処理を新たに有する点を除き、図１１と同様であるため、図１５の詳細な説明は省略する。図１５のステップＳ４１〜Ｓ４８は、図１１のステップＳ１１〜Ｓ１８にそれぞれ対応する。【００８７】
実施例１では、候補として選択されたＵＥが被干渉ピコＵＥであるか否かの判定（図１１のＳ１４）後、その判定結果の如何を問わず、ＰＤＣＣＨ用リソースの確保が可能であるか否かの判定（Ｓ１５又はＳ１８）が行われるものとした。これに対して、実施例４では、Ｓ４１で選択されたＵＥが被干渉ピコＵＥである場合（Ｓ４４；Ｙｅｓ）に、各ピコ基地局３００、５００は、対応するサブフレームが、対応するピコセル用の干渉低減サブフレームであるか否かを判定する（Ｓ４９）。当該判定の結果、干渉低減サブフレームである場合には（Ｓ４９；Ｙｅｓ）、Ｓ４８以降の処理に移行する。一方、干渉低減サブフレームでない場合には（Ｓ４９；Ｎｏ）、Ｓ４１に戻り、Ｓ４１以降の処理が再び実行される。なお、Ｓ４４において、候補として選択されたＵＥが被干渉ピコＵＥでない場合（Ｓ４４；Ｎｏ）の処理は、実施例１と同様である。【００８８】
図１３に戻り、ピコ基地局５００は、Ｓ２８にて通知された干渉低減サブフレーム情報及び時間シフト量に基づき、上述したＳ３０及びＳ３１と同様の処理を実行する（Ｓ３２、Ｓ３３）。【００８９】
Ｓ３４では、ピコ基地局３００は、ピコセルＣ１用の干渉低減サブフレームにおいて、ピコセルＣ１用の干渉低減ＣＣＥを用いて、被干渉ピコＵＥ用のＰＤＣＣＨを送信する。同時に、マクロ基地局４００がＰＤＳＣＨを送信する際には、ピコセルＣ１用干渉低減ＣＣＥに対応したミューティング領域をミューティングする（Ｓ３５）。これにより、マクロセルからピコセルＣ１における被干渉ピコＵＥ用のＰＤＣＣＨへの干渉は、低減される。【００９０】
Ｓ３６では、ピコ基地局５００は、ピコセルＣ２用の干渉低減サブフレームにおいて、ピコセルＣ２用の干渉低減ＣＣＥを用いて、被干渉ピコＵＥ用のＰＤＣＣＨを送信する。同時に、マクロ基地局４００がＰＤＳＣＨを送信する際には、ピコセルＣ２用干渉低減ＣＣＥに対応したミューティング領域をミューティングする（Ｓ３７）。これにより、マクロセルからピコセルＣ２における被干渉ピコＵＥ用のＰＤＣＣＨへの干渉は、低減される。【００９１】
なお、本実施例では、代表的なピコセルＣ１，Ｃ２について説明したが、これらのピコセル以外のピコセルにおけるＰＤＣＣＨがマッピングされるＲＥ位置は、ミューティング領域と部分的にオーバーラップする。このため、これらのＰＤＣＣＨへの干渉も部分的に低減されるという効果もある。【００９２】
上述したように、本実施例４における無線通信システム２は、複数のピコ基地局３００，５００を有する。ピコ基地局３００は、制御部３００ａと通信部３００ｂとを有する。制御部３００ａは、干渉低減ＣＣＥがマッピングされるＣＣＥの特定に必要な情報と被干渉ＵＥ数情報とを、マクロ基地局４００に通知するように制御する。マクロ基地局４００から通知された干渉低減サブフレーム情報の示す、ピコセルＣ１、Ｃ２用の干渉低減サブフレームにおいて、ピコセルＣ１、Ｃ２に接続する移動局のＵＥ固有サーチスペースが干渉低減ＣＣＥと重なる場合を想定する。この場合、通信部３００ｂは、重なる領域内の干渉低減ＣＣＥを用いて、移動局用のＰＤＣＣＨによる送信を行う。マクロ基地局４００は、制御部４００ａと通信部４００ｂとを有する。制御部４００ａは、複数のピコ基地局３００、５００から通知された被干渉ＵＥ数情報に基づいて、各ピコセルＣ１、Ｃ２用の干渉低減サブフレームを設定すると共に、干渉低減サブフレーム情報を各ピコ基地局３００、５００に通知する制御を行う。通信部４００ｂは、各ピコセルＣ１、Ｃ２用の干渉低減サブフレームにおいてピコセルの干渉低減ＣＣＥがマッピングされるリソースにおいて、ヌルシンボルを送信する。これにより、マクロセルの中に複数のピコセルＣ１、Ｃ２が混在するネットワーク環境において、実施例１における無線通信システムに対し、複数ピコ基地局に応じた時分割ミューティングの技術を適用することができる。したがって、１つのマクロセルが複数のピコセルＣ１、Ｃ２のＰＤＣＣＨに与える干渉は、低減される。一方、ピコセル数によらず、マクロセルのＰＤＳＣＨの受信特性は、維持される。【００９３】
無線通信システム２において、ピコ基地局３００の制御部３００ａは、被干渉ＵＥ数情報として、無線チャネル状態が所定品質以下のＵＥ数に基づく情報をマクロ基地局４００に通知する制御を行う。なお、無線チャネル状態が所定品質以下とは、例えば、測定された受信レベルが所定値以下の場合である。これにより、制御部３００ａは、大きな干渉を受ける移動局がどの程度多く存在するかを示す、より適切な情報を通知することができる。【００９４】
また、無線通信システム２において、マクロ基地局４００の制御部４００ａは、被干渉ＵＥ数情報が示す値に関する各ピコセルＣ１、Ｃ２間の比率に基づいて、干渉低減サブフレームの個数に関する各ピコセルＣ１、Ｃ２間の比率を設定する。これにより、ピコセルＣ１、Ｃ２のＰＤＣＣＨの送信機会がセル間で偏ることを防ぐことができる。【００９５】
更に、無線通信システム２において、マクロ基地局４００の制御部４００ａは、各ピコセルＣ１、Ｃ２用の干渉低減サブフレームを互いに重複しないように設定する。これにより、無線通信システム２は、各サブフレームに対して、各ピコセルに最適な干渉制御を確実に適用することができる。【００９６】
また、無線通信システム２において、マクロ基地局４００の通信部４００ｂは、複数のピコ基地局３００、５００のうち、ヌルシンボルの送信を要求したピコ基地局からの当該要求を契機として、ピコ基地局３００の移動局１０にヌルシンボルを送信する。これにより、干渉制御の必要なピコ基地局についてのみミューティングが実行される。したがって、全てのピコ基地局についてミューティングを実行する場合と比較して、干渉制御に伴うマクロ基地局４００の処理負荷が低減される。
【実施例５】
【００９７】
実施例５では、実施例１における無線通信システムに、干渉低減ＣＣＥを適応的に制御する技術を適用した例を説明する。すなわち、実施例１では、無線通信システム１は、マクロ基地局とピコ基地局との共通ルールに従い、干渉低減ＣＣＥを、例えば共通ＳＳに設定するものとした。しかしながら、干渉低減ＣＣＥを固定的に設定すると、例えばピコセルにおける被干渉ピコＵＥ数が多い場合には、無線通信システム１は、被干渉ピコＵＥのＰＤＣＣＨ用リソースを確保し難くなり、被干渉ピコＵＥのスループットが低下する懸念がある。一方、被干渉ピコＵＥが少ない場合には、無線通信システム１は、被干渉ピコＵＥのＰＤＣＣＨ用リソースを容易に確保できるものの、マクロセルでミューティングされるＰＤＳＣＨ  ＲＥの量が過剰となる。そこで、本実施例における無線通信システムでは、ピコセルの通信状況に応じて干渉低減ＣＣＥを制御する。【００９８】
まず、実施例５における無線通信システムの構成について説明する。図１６は、実施例５における無線通信システムの構成を示す図である。図１６に示すように、無線通信システム３は、ピコ基地局６００とマクロ基地局７００とを有する。ピコ基地局６００は、制御部６００ａと通信部６００ｂとを有する。制御部６００ａは、スケジューラ部６０２と無線リソース制御部６０３とセル間干渉判定部６０４と上り制御信号復調部６０６とデータ信号生成部６０７とを有する。また、制御部６００ａは、制御信号生成部６０８と参照信号生成部６０９とチャネル多重部６１０とＩＦＦＴ部６１１と送信タイミング制御部６１２とを有する。通信部６００ｂは、受信ＲＦ部６０５と送信ＲＦ部６１３とを有する。これら各構成部分は、一方向又は双方向に、信号やデータの入出力が可能なように接続されている。【００９９】
同様に、マクロ基地局７００は、制御部７００ａと通信部７００ｂとを有する。制御部７００ａは、ミューティング処理部７０１と干渉低減ＣＣＥ設定部７０２とミューティング制御部７０３とスケジューラ部７０４と無線リソース制御部７０５と上り制御信号復調部７０７とを有する。また、制御部７００ａは、参照信号生成部７０８と制御信号生成部７０９とデータ信号生成部７１０とチャネル多重部７１１とＩＦＦＴ部７１２とを有する。通信部７００ｂは、受信ＲＦ部７０６と送信ＲＦ部７１３とを有する。これら各構成部分は、一方向又は双方向に、信号やデータの入出力が可能なように接続されている。【０１００】
無線通信システム３は、実施例１における無線通信システム１と同様の構成を有する。したがって、同様の構成要素には、末尾が同一の参照符号を付すとともに、その詳細な説明は省略する。【０１０１】
具体的には、実施例５におけるピコ基地局６００とマクロ基地局７００とは、実施例１におけるピコ基地局１００とマクロ基地局２００とにそれぞれ対応する構成要素である。また、ピコ基地局６００の制御部６００ａと通信部６００ｂとは、ピコ基地局１００の制御部１００ａと通信部１００ｂとに、それぞれ対応する。同様に、マクロ基地局７００の制御部７００ａと通信部７００ｂとは、マクロ基地局２００の制御部２００ａと通信部２００ｂとに、それぞれ対応する。【０１０２】
ピコ基地局６００のスケジューラ部６０２と無線リソース制御部６０３とは、ピコ基地局１００のスケジューラ部１０２と無線リソース制御部１０３とにそれぞれ対応する。また、セル間干渉判定部６０４と受信ＲＦ部６０５と上り制御信号復調部６０６とデータ信号生成部６０７とは、セル間干渉判定部１０４と受信ＲＦ部１０５と上り制御信号復調部１０６とデータ信号生成部１０７とにそれぞれ対応する。更に、制御信号生成部６０８と参照信号生成部６０９とチャネル多重部６１０とは、制御信号生成部１０８と参照信号生成部１０９とチャネル多重部１１０とにそれぞれ対応する。そして、ＩＦＦＴ部６１１と送信タイミング制御部６１２と送信ＲＦ部６１３とは、ＩＦＦＴ部１１１と送信タイミング制御部１１２と送信ＲＦ部１１３とにそれぞれ対応する。【０１０３】
同様に、マクロ基地局７００のミューティング処理部７０１と干渉低減ＣＣＥ設定部７０２とは、マクロ基地局２００のミューティング処理部２０１と干渉低減ＣＣＥ設定部２０２とにそれぞれ対応する。また、ミューティング制御部７０３とスケジューラ部７０４と無線リソース制御部７０５とは、ミューティング制御部２０３とスケジューラ部２０４と無線リソース制御部２０５とにそれぞれ対応する。更に、受信ＲＦ部７０６と上り制御信号復調部７０７と参照信号生成部７０８とは、受信ＲＦ部２０６と上り制御信号復調部２０７と参照信号生成部２０８とにそれぞれ対応する。また、制御信号生成部７０９とデータ信号生成部７１０とチャネル多重部７１１とは、制御信号生成部２０９とデータ信号生成部２１０とチャネル多重部２１１とにそれぞれ対応する。更に、ＩＦＦＴ部７１２と送信ＲＦ部７１３とは、ＩＦＦＴ部２１２と送信ＲＦ部２１３とにそれぞれ対応する。【０１０４】
なお、移動局の構成は、実施例１と同様であるので、その説明は省略する。【０１０５】
以下、実施例５と実施例１との主要な差異について説明する。マクロ基地局７００の干渉低減ＣＣＥ設定部７０２は、被干渉ＵＥ数情報とピコセル情報とに基づいて干渉低減ＣＣＥを調整し、その結果を干渉低減ＣＣＥ情報として、ミューティング制御部７０３と無線リソース制御部７０５とに通知する。マクロ基地局７００の無線リソース制御部７０５は、時間シフト量と上記干渉低減ＣＣＥ情報とを、ピコ基地局６００の無線リソース制御部６０３に通知する。ピコ基地局６００の無線リソース制御部６０３は、上記干渉低減ＣＣＥ情報をスケジューラ部６０２に通知する。【０１０６】
次に、動作を説明する。図１７は、実施例５に係る無線通信システム３の動作を示す図である。図１７は、ステップＳ５３〜５５を除き、図９と同様であるため、図１７の詳細な説明は省略し、実施例１との差異について説明する。図１７のステップＳ５１〜Ｓ５９は、図９に示したステップＳ１〜Ｓ９にそれぞれ対応する。【０１０７】
Ｓ５３では、ピコ基地局６００は、マクロ基地局７００に対して、ピコセル情報（アンテナ数、ＣＦＩ、セルＩＤ、Ｎｇ）及び被干渉ＵＥ（移動局）数情報を通知する。マクロ基地局７００は、ピコ基地局６００から通知された上記被干渉ＵＥ数情報に基づいて、干渉低減ＣＣＥ数を調整する（Ｓ５４）。具体的には、マクロ基地局７００は、被干渉ＵＥ数情報の示す被干渉ＵＥ数又はその比率が所定値以上の場合には、干渉低減ＣＣＥ数を増加させる。これに対して、マクロ基地局７００は、上記被干渉ＵＥ数情報の示す被干渉ＵＥ数又はその比率が所定値未満の場合には、干渉低減ＣＣＥ数を低下させる。そして、Ｓ５５では、マクロ基地局７００は、Ｓ５４で調整された干渉低減ＣＣＥ数に関する情報を干渉低減ＣＣＥ情報として、時間シフト量と共にピコ基地局６００に通知する。【０１０８】
ピコ基地局６００は、Ｓ５５でマクロ基地局７００から通知された干渉低減ＣＣＥ情報に従って、干渉低減ＣＣＥを設定する。【０１０９】
上述したように、本実施例５における無線通信システム３は、ピコ基地局６００とマクロ基地局７００とを有する。ピコ基地局６００は制御部６００ａを有する。制御部６００ａは、被干渉ＵＥ数情報を、マクロ基地局７００に通知すると共に、マクロ基地局７００から通知された干渉低減ＣＣＥ情報に従って、干渉低減ＣＣＥを設定する。マクロ基地局７００は制御部７００ａを有する。制御部７００ａは、ピコ基地局６００から通知された被干渉ＵＥ数情報に基づいて、干渉低減ＣＣＥ数を調整すると共に、干渉低減ＣＣＥ数に基づく干渉低減ＣＣＥ情報を、ピコ基地局６００に通知する。これにより、ピコセルにおける被干渉ピコＵＥ数が時間又は場所に応じて変化した場合にも、無線通信システム３は、ピコセルにおいて、被干渉ピコＵＥのＰＤＣＣＨ用リソースを十分に確保することができる。また、マクロセルにおいては、ミューティングするＰＤＳＣＨ  ＲＥの量が必要最小限で済む。【０１１０】
無線通信システム３において、マクロ基地局７００の制御部７００ａは、被干渉ＵＥ数が所定値以上の場合には、干渉低減ＣＣＥ数を増加させ、被干渉ＵＥ数が所定値未満の場合には、干渉低減ＣＣＥ数を減少させる制御を行う。これにより、ピコセルの通信状況に応じて干渉低減ＣＣＥ数が適宜調整されるため、ピコ基地局毎に過不足のない干渉低減ＣＣＥ制御が実現される。【０１１１】
なお、上記各実施例では、本願の開示する無線通信システムは、マクロセルとピコセルとの間の干渉を低減するものとした。しかしながら、無線通信システム１、２、３は、これに限らず、マクロセルとフェムトセル間での干渉、あるいはピコセルとフェムトセル間での干渉を低減する技術として適用することもできる。
【符号の説明】
【０１１２】
１，２，３  無線通信システム
１０  移動局
１０ａ  制御部
１０ｂ  通信部
１１  受信ＲＦ部
１２  ＦＦＴ部
１３  データ信号復調部
１４  制御信号復調部
１５  チャネル推定部
１６  ＣＱＩ算出部
１７  ＲＳＲＰ測定部
１８  上り制御信号生成部
１９  送信ＲＦ部
１００，３００，５００，６００  ピコ基地局
１００ａ，３００ａ，６００ａ  制御部
１００ｂ，３００ｂ，６００ｂ  通信部
１０１，３０１  干渉低減ＣＣＥ設定部
１０２，３０２，６０２  スケジューラ部
１０３，３０３，６０３  無線リソース制御部
１０４，３０４，６０４  セル間干渉判定部
１０５，３０５，６０５  受信ＲＦ部
１０６，３０６，６０６  上り制御信号復調部
１０７，３０７，６０７  データ信号生成部
１０８，３０８，６０８  制御信号生成部
１０９，３０９，６０９  参照信号生成部
１１０，３１０，６１０  チャネル多重部
１１１，３１１，６１１  ＩＦＦＴ部
１１２，３１２，６１２  送信タイミング制御部
１１３，３１３，６１３  送信ＲＦ部
２００，４００，７００  マクロ基地局
２００ａ，４００ａ，７００ａ  制御部
２００ｂ，４００ｂ，７００ｂ  通信部
２０１，４０１，７０１  ミューティング処理部
２０２，４０２，７０２  干渉低減ＣＣＥ設定部
２０３，４０３，７０３  ミューティング制御部
２０４，４０４，７０４  スケジューラ部
２０５，４０５，７０５  無線リソース制御部
２０６，４０６，７０６  受信ＲＦ部
２０７，４０７，７０７  上り制御信号復調部
２０８，４０８，７０８  参照信号生成部
２０９，４０９，７０９  制御信号生成部
２１０，４１０，７１０  データ信号生成部
２１１，４１１，７１１  チャネル多重部
２１２，４１２，７１２  ＩＦＦＴ部
２１３，４１３，７１３  送信ＲＦ部
Ｃ１，Ｃ２  ピコセル
【図１】
2012104970.tif 000003
【図２】
2012104970.tif 000004
【図３】
2012104970.tif 000005
【図４】
2012104970.tif 000006
【図５】
2012104970.tif 000007
【図６】
2012104970.tif 000008
【図７】
2012104970.tif 000009
【図８】
2012104970.tif 000010
【図９】
2012104970.tif 000011
【図１０】
2012104970.tif 000012
【図１１】
2012104970.tif 000013
【図１２】
2012104970.tif 000014
【図１３】
2012104970.tif 000015
【図１４】
2012104970.tif 000016
【図１５】
2012104970.tif 000017
【図１６】
2012104970.tif 000018
【図１７】
2012104970.tif 000019
【国際調査報告】
2012104970.tif 000020
2012104970.tif 000021